(57)【要約】  無線ローカルエリアネットワーク内で、アクセスポイント（ＡＰｓ）の発見を促進する方法（１００）は、ＡＰがビーコン信号を送信するチャネル以外の少なくとも一つのチャネルを介して、前記ＡＰによって通知パケットを送信することによって開始する。通知パケットは局（ＳＴＡ）によって受信され、ＳＴＡはその後、送信ＡＰに関連付けるかどうかを決定する。通知パケットは、再関連付け情報を含むことができるので、ＳＴＡは通知パケット内の情報に基づいてＡＰに関連付けることができ、ＳＴＡはＡＰにチューニングでき、拡張された時間期間のためにＡＰに居ることなしにＡＰのビーコンを受信できる。
2008512953.tif 000002
【特許請求の範囲】
【請求項１】
無線ローカルエリアネットワーク内で、アクセスポイント（ＡＰｓ）の発見を促進する方法であって、
ＡＰがビーコン信号を送信するチャネル以外の少なくとも一つのチャネルを介して前記ＡＰによって通知パケットの送信するステップと、
局（ＳＴＡ）によって前記通知パケットを受信するステップと、
前記送信ＡＰに前記ＳＴＡを関連付けるかどうかを決定するステップと
を備えたことを特徴とする方法。
【請求項２】
前記送信ステップは、
通知パケットを送信するための条件が満たされているかどうかを決定するステップと、
前記既定の条件が満たされているならば、通知パケットを送信するステップと
を含むことを特徴とする請求項１に記載の方法。
【請求項３】
前記既定の条件は、前記ＡＰによって供給される基本サービスセットにおける低いロード条件があるかどうかを決定するステップを含むことを特徴とする請求項２に記載の方法。
【請求項４】
前記既定の条件は、近傍ＡＰの基本サービスセット内に輻輳が存在する前記近傍のＡＰから指示を受信するステップを含むことを特徴とする請求項２に記載の方法。
【請求項５】
前記既定の条件は、輻輳が他のチャンネル上に存在することを決定するステップを含み
前記輻輳は、周期的に前記他のチャンネルにチューニングされ、前記他のチャンネル上の前記トラフィックをリスニングすることによって、前記ＡＰによって決定されることを特徴とする請求項２に記載の方法。
【請求項６】
前記既定の条件は、拡張サービスセット内に遅延検出ＳＴＡsがあるかどうかを決定するステップを含むことを特徴とする請求項２に記載の方法。
【請求項７】
前記通知パケットは再関連付け情報を含み、これによって前記ＳＴＡは、前記通知パケット内の情報に基づいて、前記ＳＴＡに関連付けを可能であることを特徴とする請求項１に記載の方法。
【請求項８】
前記通知パケットはタイミング情報を含み、これによって前記ＳＴＡは、前記ＡＰへチューニングでき、拡張された時間期間のために前記ＡＰ上に居ることなく前記ＡＰのビーコンを受信できることを特徴とする請求項１に記載の方法。
【請求項９】
無線ローカルエリアネットワーク内で、アクセスポイント（ＡＰｓ）の発見を促進するシステムであって、
送信部と受信部を有するＡＰと、
送信部と受信部を有する少なくとも一つの局（ＳＴＡ）と、
通知パケットであって、前記ＡＰがビーコン信号を送信するチャネル以外の少なくとも一つのチャネル上に、前記ＡＰによって送信され、少なくとも一つのＳＴＡによって受信した前記通知パケットと、
各ＳＴＡにおいて、前記受信した通知パケットに基づいて、前記ＡＰをＳＴＡに関連つけるかどうかを決定する手段を決定する手段と
を備えたことを特徴とするシステム。
【請求項１０】
前記通知パケットは再関係付け情報を含み、これによって前記通知パケットを受信する前記ＳＴＡは、前記通知パケットにおいて前記情報に基づいて、前記ＡＰに関連付けることが可能であることを特徴とする請求項９に記載のシステム。
【請求項１１】
前記通知パケットはタイミング情報を含み、これによって前記ＳＴＡは、前記ＡＰをチューニングでき、拡張された時間期間のために前記ＡＰ上に居ることなく前記ＡＰのビーコンを受信できることを特徴とする請求項９に記載のシステム。
【請求項１２】
前記ＡＰにおいて、前記通知パケット送信前に既定の条件が満たされていたかどうかを決定する第２の決定手段
をさらに備えたことを特徴とする請求項９に記載のシステム。
【請求項１３】
前記既定の条件は、前記ＡＰによって供給される前記基本サービスセット中に、低いロード状況があるかどうかを決定するステップを含むことを特徴とする請求項１２に記載のシステム。
【請求項１４】
前記既定の条件は、輻輳が近傍ＡＰの基本サービスセット内に存在する前記近傍ＡＰからの指示を受信するステップを含むことを特徴とする請求項１２に記載のシステム。
【請求項１５】
前記既定の条件は、輻輳が他のチャンネル上に存在することを決定するステップを含み、前記輻輳は、周期的に前記他のチャンネルにチューニングされ、前記他のチャンネル上の前記トラフィックをリスニングすることによって、前記ＡＰによって決定されることを特徴とする請求項１２に記載のシステム。
【請求項１６】
前記既定の条件は、拡張サービスセット内に遅延検出ＳＴＡsがあるかどうかを決定するステップを含むことを特徴とする請求項１２に記載のシステム。
【請求項１７】
無線ローカルエリアネットワーク内で、アクセスポイント（ＡＰｓ）の発見を促進するシステムであって、
デバイスを決定する通知パケットと、
デバイスを決定する前記通知パケットに結合された通知パケット送信デバイスと、
前記通知パケット送信デバイスに結合された第１の送信器/受信器と、
前記第１の送信器/受信器と結合された第１のアンテナと
を備えたＡＰと、
第２のアンテナと、
前記第２のアンテナに結合された第２の送信器/受信器と、
前記第２のアンテナに結合された通知パケット受信デバイスと、
前記通知パケット受信デバイスおよび第２の送信器/受信器に結合されたチャネルチューニングデバイスと
を備えた局と
を備えたことを特徴とするシステム。
【請求項１８】
デバイスを決定する前記通知パケットは、前記ＡＰが通知パケットを送るべきかどうかを決定するために構成されることを特徴とする請求項１７に記載のシステム。
【請求項１９】
前記通知パケット送信デバイスは、送信のための通知パケットを準備またスケジューリングするよう構成されることを特徴とする請求項１７または１８に記載のシステム。
【請求項２０】
前記通知パケット受信デバイスが、
ＡＰから通知パケットを受信し、
前記通知パケットに含まれる情報を検査し、
前記局が前記通知パケットを送信した前記ＡＰに再関連付けるべきかを決定する
ように構成されることを特徴とする請求項１７乃至１９に記載のシステム。
【請求項２１】
前記通知パケット受信デバイスが異なるＡＰに再関連付けることを決定する場合、前記チャネルチューニングデバイスは、局の受信チャネルを、異なるＡＰに変えるように構成されることを特徴とする請求項２０に記載のシステム。
【発明の詳細な説明】
【技術分野】
【０００１】
本発明は、一般に、ＷＬＡＮ（無線ローカルエリアネットワーク：Wireless Local Area Network）に関し、さらに詳しくは、パッシブスキャンモードにおけるＳＴＡ(局：ＳＴＡtion)によってＡＰ(アクセスポイント：Access Point)の発見を早める方法に関する。
【背景技術】
【０００２】
ＡＰベースの無線ローカルエリアネットワークにおいて、ＳＴＡは、ＳＴＡの近傍に位置する特定のＡＰと通信する。つまり、ＳＴＡは、このＡＰと関連することになるといわれる。ＳＴＡにとって、関連付けられるＡＰに変えることは、時々必要となるか、または望ましい。たとえばＳＴＡは、当初の関連付けられているＡＰによってカバーされる範囲の外に移動（たとえば、ローミング）、および悪い信号状態となるかもしれない。別の状況は、当初のＡＰによって供給されるＢＳＳ（基本のサービスセット：Ｂａｓｉｃ  Ｓｅｒｖｉｅ  Ｓｅｔ）において生じた輻輳のために、スループットが悪くなるときである。
【０００３】
ＳＴＡを新しいＡＰに再関連付けするために、第１に将来利用可能であるその近接のＡＰを発見しなければならない。この検索を実行するための１つの方法は、パッシブスキャンモードである。パッシブスキャンにおいて、ＳＴＡは、近傍ＡＰによって送られたビーコンパケットをリッスンし、これは通常、だいたい１００ｍｓごとに送られる。ＳＴＡは、それぞれの送信チャネルをリッスンし、セットの合間にチャネルを変える。一度ＳＴＡがビーコンをリッスンし、ビーコン内に含まれる情報をデコードしたら、近傍ＡＰへの再割り当ての処理を初期化してもよい。
【発明の開示】
【発明が解決しようとする課題】
【０００４】
パッシブセッションモードは、障害に苦しむ。なぜなら、近傍ＡＰが異なるチャネルで動作しているかもしれないからである。このように、ビーコンをリッスンするために、ＳＴＡは、その関連付けられたＡＰで現在動作しているチャネルより、異なるチャネルにチューニングしなければならない。ＳＴＡは一般に、すべての近傍ＡＰからビーコンを受信していることを保証するために、比較的長い時間（＞１００ｍｓ）、各チャネルに居る必要があるかもしれない。他のチャネルをリッスンしている間、ＳＴＡはその関連付けられたＡＰからパケットを受信できず、その通信はしたがって中断される。このような中断は、悪くそして大きくユーザによって感じられるサービスの質に影響する。
【課題を解決するための手段】
【０００５】
無線ローカルエリアネットワーク内のアクセスポイント（ＡＰｓ）の発見を促進する方法は、ＡＰがビーコン信号を送信するチャネル以外の少なくとも１つのチャネルを介して、ＡＰによって通知パケットを送信されることによって始まる。この通知パケットは、局（ＳＴＡ）によって受け取られ、これはその後送信ＡＰに関連付けるかどうかを決定する。通知パケットは、ＳＴＡは通知パケット内の情報に基づいてＡＰに関連付けることができる再関連付け情報、またはＳＴＡがＡＰにチューニングでき、拡張された時間期間のためにＡＰに居ることなしにＡＰのビーコンを受信できるタイミング情報を含むことができる。
【０００６】
送信器および受信機を有するＡＰ、および受信機および送信器を有する少なくとも１つのＳＴＡを含む無線ローカルエリアネットワークにおいて、ＡＰの発見を促進するシステムは、通知パケットおよび各ＳＴＡでの決定方法を含む。通知パケットは、ＡＰがビーコン信号を送信するチャネル以外の少なくとも１つのチャネル上でＡＰによって送信され、少なくとも１つのＳＴＡによって受信される。決定手段は、受信した通知パケットに基づいて、送信ＡＰにＳＴＡを関連付けるかどうかを決定するために使用される。
【０００７】
ＷＬＡＮ内のＡＰの発見を促進するシステムは、ＡＰおよびＳＴＡを含む。ＡＰは、デバイスを決定する通知パケット、デバイスを決定する通知パケットに結合された通知パケット送信デバイス、通知パケット決定デバイスに結合された第１の送信器／受信器、および第１の送信器／受信器に結合された第１のアンテナを含む。ＳＴＡは第２のアンテナ、第２のアンテナに結合された第２の送信器／受信器、第２の送信器／受信器に結合された通知パケット受信デバイス、および通知パケット受信デバイスと第２の送信器／受信器に結合されたチャネルチューニングデバイスを含む。
【０００８】
本発明のより詳細な理解は、例として与えられ、添付の図面とあわせて理解されることになる好適な実施形態の以下の説明から得られるだろう。
【発明を実施するための最良の形態】
【０００９】
以降、「局（ＳＴＡ）」という用語は、無線送信／受信ユニット、ユーザ装置、固定またはモバイル加入者ユニット、ページャ、または無線環境で動作可能な他の任意のデバイスを含むが、これらに限られない。以降において、「アクセスポイント（ＡＰ）」という用語は、基地局、ノードＢ、サイトコントローラ、または無線環境内の他の任意の種類のインターフェースデバイスを含むが、これらに限られない。
【００１０】
本発明は、次の方式で上述の問題を解決する。ある条件の下ＡＰは、それが現在動作しているチャネルとは異なる１または複数の周波数チャネル上に、追加パケット（「通知パケット」と呼ばれる）を送信する。これは機能的に、それらの受信器を他のチャネルにチューニングする必要なくＡＰの存在を分かるために、これらの異なるチャネル上で動作するのをＳＴＡに可能にし、したがって通信の中断を避けることができる。
【００１１】
本発明によるＷＬＡＮ内でＡＰを発見する方法１００は、図１に示される。方法１００は、ＡＰが通知パケットを送信するための既定の条件を満たしているかどうかを決定することによって始まる（ステップ１０２）。ＡＰは、ある条件が満たされた場合のみ、それ自身を他のチャネルに通知することを決定するかもしれない。これらの条件は、例えば以下を含む。
【００１２】
１）ＡＰによって供給されるＢＳＳ内の十分に低いロード条件。これによってＡＰは、過度の中断なしにその通知パケットを送信するために、別の周波数チャネルにチューニングすることができる。新しいＳＴＡに適合しない場合は、ＡＰはそれ自身を通知する必要はない。たとえば、送信要求ＲＴＳ（Request to Send）または送信パケットクリアＣＴＳ（Clear to Send packets）をそれ自身に送ることによって、または衝突のない期間を呼び出すことによって、ＡＰが通知パケットを送信する時間の間、ＡＰは、そこへのその関連付けられたＳＴＡ送信情報を有することを避けることができる。
【００１３】
２）輻輳がＢＳＳ内に存在し、別のチャネルへの負荷無し（off-load）トラフィックがある、（ＡＰ間信号を介して）近傍ＡＰから受信した指示。
【００１４】
３）周期的に、短い時間期間の間に他のチャネルにチューニングし、各チャネル上のトラフィックをリッスンすることによって輻輳が他のチャネルに存在するそれ自身によって、ＡＰが発見することもありうる。
【００１５】
４）高速ローミングを必要とする拡張されたサービスセット（ＥＳＳ：Extended Service Set）内にＳＴＡがある場合（たとえば、ＳＴＡが音声などの遅延検知アプリケーションを使用する場合、）、ＡＰは「知る」。ＡＰは、ＡＰ間信号を介してこの情報を分かることもありうる。いくつかの遅延検知ＳＴＡがある場合、これはＡＰが通知パケットを送るのを促す。
【００１６】
上述条件は単に例であり、当業者ＡＰが通知パケットを送る前に満たされる必要があろう他の条件を思い描くことができることを、当業者に理解されたい。
【００１７】
ＡＰが通知パケットを送信するための条件の１つを満たしてない場合、方法１００は終了する（ステップ１０４）。ＡＰが通知パケットを送信するための条件の１つを満たす場合、ＡＰは通知パケットを送信する（ステップ１０６）。通知パケットは以下の情報を含む。
【００１８】
１）ＡＰが見つけられることができる周波数チャネル、および
２）以下のいずれか。
【００１９】
ａ）ＳＴＡがＡＰへの関連付け処理を初期化するのに必要なすべての情報（たとえば、ＡＰのアドレス、ＡＰの容量など）、ビーコンに含まれる情報の一部、もしくはビーコン全体、または
ｂ）通知パケットの送信の時間に関する、ＡＰによってその動作チャネル上でビーコンパケットの送信のためのタイミング情報。
【００２０】
ＳＴＡは、通知パケットを受信し、通知パケットの中身を決定する（ステップ１０８）。パケットが再関連付け情報を含む場合であって、ＳＴＡが再関連付けを望む場合、ＡＰが動作できるチャネルにチューニングでき、すぐに新しいＡＰへの関連付け処理を初期化できる（ステップ１１０）。方法１００はその後、終了する（ステップ１０４）。
【００２１】
パケットがタイミング情報を含む場合（ステップ１０８）であって、ＳＴＡが再関連付けを望む場合、ＡＰがこのＡＰによってビーコン送信時間のちょうど前に動作するチャネルにチューニングし（ステップ１１２）、ビーコンをリッスンすることができ、したがって新しいチャネル上での長い中断時間を避けることができる（ステップ１１４）。ＳＴＡはその後、新しいＡＰに再関連付けするかどうかを独立して決定し（ステップ１１６）、方法は終了する（ステップ１０４）。
【００２２】
図２は、それぞれ３つのチャネル（Ａ、Ｂ、およびＣ）上で動作する３つのＡＰ（ＡＰ１、ＡＰ２、およびＡＰ３）でのパケット送信の例を示す。この例において、（負荷の下にある）ＡＰ１は、チャネルＢおよびＣ上に通知パケットを送信する。
【００２３】
ＡＰはビーコン間隔ごとに各チャネルに１以上の通知パケットを通常送信すべきである。この間隔の中で、通知パケットの送信のタイミングがランダムに選択されてもよい。代替として、ＡＰは、それ自身のビーコンの送信に関して、あるタイムオフセットを目的としてもよい。他のいずれかのチャネル上での通知パケットの送信の前に、他の任意のＳＴＡのように（つまり、メディアが送信前に選択されたチャネル上でアイドル状態になった後に一定の時間待つ）、ＡＰは通常のメディアアクセスルールに従うべきである。
【００２４】
本発明の方法１００は、以下の有利点を提供する。
【００２５】
１）パッシブスキャンモードを利用視する時間ＳＴＡを減らすことは、他の周波数チャネルをリッスンすることを浪費する。方法１００は、他のチャネルに検査要求を送る必要がないので、アクティブスキャンモードを利用するＳＴＡについての中断を減らすこともできる。
【００２６】
２）ＡＰが近傍ＡＰのビーコンタイミング情報を送信する代替のアプローチと比較して、方法１００は、ＡＰ間の同期を必要としない。さらに、近傍ＡＰからの通知パケットをリッスンするＳＴＡもまた、ＡＰのビーコンをヒアリング可能であることを保証される。代替のアプローチにおいて、ＳＴＡは、近傍ＡＰのビーコンタイミング情報が供給ＡＰによって提供される近傍ＡＰからはるかに離れていることもありうる。近傍ＡＰがこの供給ＡＰと等しいか、またはより高い率でデータを送信するのに適している場合、ＳＴＡは、通知パケットの信号強度に基づいて、容易に評価できる。
【００２７】
３）方法１００は、ＡＰ間の負荷バランスのために効率的なメカニズムとして使用できる。ＳＴＡは、他のチャネル上で利用可能および他のＡＰにアクセス可能な他のＡＰを発見する前に、ローミング決定を行なう必要はないので、ＳＴＡは、より容易に再関連付けを行ない、より効率的に負荷のバランスをとるだろう。中央集約構造が採用される場合、アクセスコントローラは、負荷情報に基づいてどのＡＰが通知パケットを送るかを管理できる。
【００２８】
図３は、送信および受信通知パケットで構成されるシステム３００の図である。システム３００は、ＡＰ３０２およびＳＴＡ３０４を含む。ＡＰ３０２は、デバイス３１０を決定する通知パケット、通知パケットパケット決定デバイス３１０に結合されている通知パケット送信デバイス３１２、通知パケット送信デバイス３１２に結合されている送信器／受信器３１４、および送信器／受信器３１４に結合されているアンテナ３１６を含む。ＳＴＡ３０４は、アンテナ３２０、アンテナ３２０に結合されている送信器／受信器３２２、送信器／受信器３２２に結合されている通知パケット受信デバイス３２４、送信器／受信器３２２に結合されているチャネルチューニングデバイス３２６、および通知パケット受信デバイス３２４を含む。
【００２９】
通知パケット決定デバイス３１０は、システム条件がＡＰ３０２にとって通知パケットを送り出すのに適切かどうかを決定する。デバイス３１０を決定する通知パケットが、通知パケットが送られるべきと決定する場合、デバイス３１０を決定する通知パケットは、通知パケット送信デバイス３１２に信号送信し、これは通知パケットを生成し、この送信をスケジューリングする。この通知パケットはその後、アンテナ３１６を介してブロードキャストされる送信器／受信器３１４に送られる。
【００３０】
ＳＴＡ３０４は、アンテナ３２０および送信器／受信器３２２を介して通知パケットを受信する。通知パケットは、通知パケットに含まれる情報を決定し、ＳＴＡ３０４がＡＰ３０２に再関連付けをするかどうかを決定するために、通知パケット受信デバイス３０２によって検査される。ＳＴＡ３０４がＡＰ３０２に再関連付けをする場合、通知パケット受信デバイス３２４は、ＡＰ３０２へのチャネルを変えるためにチャネルチューニングデバイス３２６へ信号送信するので、送信器／受信器３２２はＡＰ３０２からパケットを受信できる。
【実施例】
【００３１】
１．無線ローカルエリアネットワーク内で、アクセスポイント（ＡＰｓ）の発見を促進する方法は、ＡＰがビーコン信号を送信するチャネル以外の少なくとも一つのチャネルを介してＡＰによって通知パケットの送信するステップと、局（ＳＴＡ）によって通知パケットを受信するステップと、送信ＡＰにＳＴＡを関連付けるかどうかを決定するステップとを含む。
【００３２】
２．送信するステップは、通知パケットを送信するための条件が満たされているかどうかを決定するステップと、既定の条件が満たされているならば、通知パケットを送信するステップとを含む実施例１による方法。
【００３３】
３．既定の条件は、ＡＰによって供給される基本サービスセットにおける低いロード条件があるかどうかを決定するステップを含む実施例２による方法。
【００３４】
４．既定の条件は、近傍ＡＰの基本サービスセット内に輻輳が存在する近傍のＡＰから指示を受信するステップを含む実施例２による方法。
【００３５】
５．既定の条件は、輻輳が他のチャンネル上に存在することを決定するステップを含み
輻輳は、周期的に他のチャンネルにチューニングされ、他のチャンネル上のトラフィックをリスニングすることによって、ＡＰによって決定される実施例２による方法。
【００３６】
６．既定の条件は、拡張サービスセット内に遅延検出ＳＴＡsがあるかどうかを決定するステップを含む実施例２による方法。
【００３７】
７．通知パケットは再関連付け情報を含み、これによってＳＴＡは、通知パケット内の情報に基づいて、ＳＴＡに関連付けを可能である実施例１による方法。
【００３８】
８．通知パケットはタイミング情報を含み、これによってＳＴＡは、ＡＰへチューニングでき、拡張された時間期間のためにＡＰ上に居ることなくＡＰのビーコンを受信できる実施例１による方法。
【００３９】
９．無線ローカルエリアネットワーク内で、アクセスポイント（ＡＰｓ）の発見を促進するシステムは、送信部と受信部を有するＡＰと、送信部と受信部を有する少なくとも一つの局（ＳＴＡ）と、通知パケットであって、ＡＰがビーコン信号を送信するチャネル以外の少なくとも一つのチャネル上に、ＡＰによって送信され、少なくとも一つのＳＴＡによって受信した通知パケットと、各ＳＴＡにおいて、受信した通知パケットに基づいて、ＡＰをＳＴＡに関連つけるかどうかを決定する手段を決定する手段を含む。
【００４０】
１０．通知パケットは再関係付け情報を含み、これによって通知パケットを受信するＳＴＡは、通知パケットにおいて情報に基づいて、ＡＰに関連付けることが可能である実施例９によるシステム。
【００４１】
１１．通知パケットはタイミング情報を含み、これによってＳＴＡは、ＡＰをチューニングでき、拡張された時間期間のためにＡＰ上に居ることなくＡＰのビーコンを受信できる実施例９または１０によるシステム。
【００４２】
１２．ＡＰにおいて、通知パケット送信前に既定の条件が満たされていたかどうかを決定する第２の決定手段をさらに含む実施例９乃至１１によるシステム。
【００４３】
１３．既定の条件は、ＡＰによって供給される基本サービスセット中に、低いロード状況があるかどうかを決定するステップを含む実施例９乃至１２によるシステム。
【００４４】
１４．既定の条件は、輻輳が近傍ＡＰの基本サービスセット内に存在する近傍ＡＰからの指示を受信するステップを含む実施例９乃至１２によるシステム。
【００４５】
１５．既定の条件は、輻輳が他のチャンネル上に存在することを決定するステップを含み、輻輳は、周期的に他のチャンネルにチューニングされ、他のチャンネル上のトラフィックをリスニングすることによって、ＡＰによって決定される実施例９乃至１２によるシステム。
【００４６】
１６．既定の条件は、拡張サービスセット内に遅延検出ＳＴＡsがあるかどうかを決定するステップを含む実施例９乃至１２によるシステム。
【００４７】
１７．無線ローカルエリアネットワーク内で、アクセスポイント（ＡＰｓ）の発見を促進するシステムは、ＡＰと局を含む。ＡＰは、デバイスを決定する通知パケットと、デバイスを決定する通知パケットに結合された通知パケット送信デバイスと、通知パケット送信デバイスに結合された第１の送信器/受信器と、第１の送信器/受信器と結合された第１のアンテナとを含む。局は、第２のアンテナと、第２のアンテナに結合された第２の送信器/受信器と、第２のアンテナに結合された通知パケット受信デバイスと、通知パケット受信デバイスおよび第２の送信器/受信器に結合されたチャネルチューニングデバイスとを含む。
【００４８】
１８．デバイスを決定する通知パケットは、ＡＰが通知パケットを送るべきかどうかを決定するために構成される実施例１７によるシステム。
【００４９】
１９．通知パケット送信デバイスは、送信のための通知パケットを準備またスケジューリングするよう構成される実施例１７または１８によるシステム。
【００５０】
２０．通知パケット受信デバイスは、ＡＰから通知パケットを受信し、通知パケットに含まれる情報を検査し、局は、通知パケットを送信したＡＰに再関連付けるべきかを決定するように構成される実施例１７乃至１９によるシステム。
【００５１】
２１．通知パケット受信デバイスが異なるＡＰに再関連付けることを決定する場合、チャネルチューニングデバイスは、局の受信チャネルを、異なるＡＰに変えるように構成されることを特徴とする実施例２０によるシステム。
【００５２】
本発明の目的及び要素は、特定の組合せで好適な実施形態において説明されているが、各目的または要素は、（好適な実施形態の他の目的および要素なしで）単独でも使用でき、あるいは本発明の他の目的及び要素と共にまたはこれらなしの様々な組合せで使用できる。本発明の特定の実施形態が示され説明されている一方で、多くの修正または変更が本発明の範囲から離れることなく当業者によってなされうる。上述の説明は図示を供給するが、いずれの形にせよ特定の発明に限るものではない。
【図面の簡単な説明】
【００５３】
【図１】ＡＰ発見のための方法のフローチャートである。
【図２】図１に示される方法による通知パケットの送信を示す図である。
【図３】通知パケットを送信および受信するために構成されるシステムの図である。
【図１】
2008512953.tif 000003
【図２】
2008512953.tif 000004
【図３】
2008512953.tif 000005
【国際調査報告】
2008512953.tif 000006